(57)【要約】【課題】受信したデータの種類に応じて、ユーザに対して通知方法を変更可能にした携帯端末を提供する。【解決手段】外部の装置からデータを受信するための第１の通信手段と、表示部を備えた端末装置と通信するための第２の通信手段と、第１の通信手段が受信したデータの種類に基づいて、表示部に表示させる情報および表示方法の情報を含む表示情報を決定し、表示情報を第２の通信手段を介して端末装置に送信する制御手段とを有する。【選択図】図１
2013070131.tif 000002
【特許請求の範囲】
【請求項１】
表示部を備えた第１の端末装置と、
前記第１の端末装置とは異なる装置からデータを受信すると、該データの種類に基づいて前記表示部に表示させる情報および表示方法の情報を含む表示情報を決定し、該表示情報を前記第１の端末装置に送信する第２の端末装置と、
を有する情報処理システム。
【請求項２】
外部の装置からデータを受信するための第１の通信手段と、
表示部を備えた端末装置と通信するための、前記第１の通信手段とは異なる第２の通信手段と、
前記第１の通信手段が受信したデータの種類に基づいて、前記表示部に表示させる情報および表示方法の情報を含む表示情報を決定し、該表示情報を前記第２の通信手段を介して前記端末装置に送信する制御手段と、
を有する携帯端末。
【請求項３】
請求項２記載の携帯端末において、
前記制御手段は、
前記第１の通信手段から前記データを受け取ると、予め決められた設定情報を参照し、該設定情報にしたがって該データの種類に対応する前記表示情報を決定する、携帯端末。
【請求項４】
請求項３記載の携帯端末において、
前記制御手段は、
前記データが画像データを含むものである場合、前記設定情報にしたがって、該画像データの画像を前記表示部の表示範囲の全面を使って表示させる表示情報に決定し、前記データが前記画像データを含まないものである場合、前記設定情報にしたがって、該データの受信をユーザに通知するためのメッセージを前記表示部の表示範囲の一部を使って表示させる表示情報に決定する、携帯端末。
【請求項５】
携帯端末が実行する情報処理方法であって、
外部の装置からデータを受信すると、該データの種類を特定し、
前記データの種類に基づいて、表示させる情報および表示方法の情報を含む表示情報を決定し、
決定した前記表示情報を、前記外部の装置とは異なる、表示部を備えた端末装置に送信する、情報処理方法。
【請求項６】
コンピュータに、
外部の装置からデータを受信すると、該データの種類を特定する手順と、
前記データの種類に基づいて、表示させる情報および表示方法の情報を含む表示情報を決定する手順と、
決定した前記表示情報を、前記外部の装置とは異なる、表示部を備えた端末装置に送信する手順を実行させるためのプログラム。
【発明の詳細な説明】
【技術分野】
【０００１】
本発明は、情報処理システム、携帯端末、情報処理方法、および、コンピュータに実行させるためのプログラムに関する。
【背景技術】
【０００２】
ＢＬＥ（Bluetooth(登録商標) Low Energy）などの近距離通信機能を備えた腕時計が開発されている。携帯電話機が、近距離通信を介して情報を腕時計に送信し、その情報を腕時計の表示部に表示させることで、ユーザは腕時計を介して携帯電話機が記憶する情報を入手することが可能になった。
【０００３】
特許文献１には、携帯電話機に受信したメールの内容を腕時計に表示することが開示されている。メールの内容以外の情報を表示可能にした腕時計も開示されている（特許文献２参照）。特許文献２に開示された腕時計は、万歩計（登録商標）との通信機能を備え、ショートメールの内容だけでなく、歩数を表示部に表示することができる。特許文献２に開示された腕時計は、歩数を表示する場合、歩数と時刻を表示部に表示し、ショートメールの内容を表示する場合、表示部全体を使ってショートメールの内容と相手の電話番号の情報を表示している。
【先行技術文献】
【特許文献】
【０００４】
【特許文献１】特開２００１−２０４０８０号公報
【特許文献２】特開２００１−０１２９６６号公報
【発明の概要】
【発明が解決しようとする課題】
【０００５】
特許文献２には、受信したショートメールを腕時計の表示部全体を使って表示する場合しか開示されておらず、この文献に開示された腕時計では、受信するショートメールのデータの種類によって表示方法を変更するものではなかった。例えば、いずれのショートメールの場合でも、表示部の全体を使ってメッセージを表示してしまうと、ユーザは時刻を確認したくても、時刻を見ることができないことがある。
【０００６】
本発明は上述したような技術が有する問題点を解決するためになされたものであり、受信したデータの種類に応じて、ユーザに対して通知方法を変更可能にした情報処理システム、携帯端末、情報処理方法、および、コンピュータに実行させるためのプログラムを提供することを目的とする。
【課題を解決するための手段】
【０００７】
上記目的を達成するための本発明の情報処理システムは、
表示部を備えた第１の端末装置と、
前記第１の端末装置とは異なる装置からデータを受信すると、該データの種類に基づいて前記表示部に表示させる情報および表示方法の情報を含む表示情報を決定し、該表示情報を前記第１の端末装置に送信する第２の端末装置と、
を有する構成である。
【０００８】
また、本発明の携帯端末は、
外部の装置からデータを受信するための第１の通信手段と、
表示部を備えた端末装置と通信するための、前記第１の通信手段とは異なる第２の通信手段と、
前記第１の通信手段が受信したデータの種類に基づいて、前記表示部に表示させる情報および表示方法の情報を含む表示情報を決定し、該表示情報を前記第２の通信手段を介して前記端末装置に送信する制御手段と、
を有する構成である。
【０００９】
また、本発明の情報処理方法は、携帯端末が実行する情報処理方法であって、
外部の装置からデータを受信すると、該データの種類を特定し、
前記データの種類に基づいて、表示させる情報および表示方法の情報を含む表示情報を決定し、
決定した前記表示情報を、前記外部の装置とは異なる、表示部を備えた端末装置に送信するものである。
【００１０】
さらに、本発明のプログラムは、コンピュータに、
外部の装置からデータを受信すると、該データの種類を特定する手順と、
前記データの種類に基づいて、表示させる情報および表示方法の情報を含む表示情報を決定する手順と、
決定した前記表示情報を、前記外部の装置とは異なる、表示部を備えた端末装置に送信する手順を実行させるものである。
【発明の効果】
【００１１】
本発明によれば、受信したデータに関する情報をユーザに効率的に通知することができる。
【図面の簡単な説明】
【００１２】
【図１】本発明の一実施形態の情報処理システムの一構成例を示すブロック図である。
【図２】図１に示した第２の端末装置の一構成例を示すブロック図である。
【図３】図１に示した第２の端末装置の動作手順を示すフローチャートである。
【図４】本実施形態の情報処理システムを説明するための一構成例を示すブロック図である。
【図５】図４に示した携帯電話機の一構成例を示すブロック図である。
【図６】図４に示した腕時計の一構成例を示すブロック図である。
【図７】図４に示した携帯電話機の一例を示す外観図である。
【図８】図４に示した腕時計の一例を示す外観図である。
【図９】本実施形態における携帯電話機の動作手順を示すフローチャートである。
【図１０】本実施形態における腕時計の表示部に表示される画面の一例を示す図である。
【図１１】図１０に示した表示方法とは異なる表示方法を説明するための図である。
【発明を実施するための形態】
【００１３】
本発明の一実施形態の情報処理システムの構成を説明する。
【００１４】
図１は本発明の一実施形態の情報処理システムの一構成例を示すブロック図である。図１に示すように、本実施形態の情報処理システムは、表示部１５を備えた第１の端末装置１０と、第２の端末装置２０とを有する。
【００１５】
続いて、第２の端末装置２０の構成を説明する。図２は図１に示した第２の端末装置の一構成例を示すブロック図である。
【００１６】
図２に示すように、第２の端末装置２０は、外部の装置からデータを受信する第１の通信手段２５と、第１の通信手段２５が受信したデータの種類に基づいて、表示させる情報および表示方法の情報を含む表示情報を決定する制御手段２１と、制御手段２１が決定した表示情報を第１の端末装置１０に送信する第２の通信手段２９とを有する。
【００１７】
次に、図２に示した第２の端末装置２０の動作手順を説明する。図３は第２の端末装置の動作手順を示すフローチャートである。
【００１８】
図３に示すように、第１の通信手段２５が外部の装置からデータを受信すると、受信したデータを制御手段２１に渡す。制御手段２１は、第１の通信手段２５からデータを受信すると、データの種類を特定する（ステップ１０１）。続いて、制御手段２１は、データの種類に基づいて表示部１５に表示させる情報と表示部１５における表示方法を決定し（ステップ１０２）、これらの情報を含む表示情報を第２の通信手段２９に渡す。第２の通信手段２９は、制御手段２１から受け取った表示情報を第１の端末装置１０に送信する（ステップ１０３）。第１の端末装置１０は、表示情報を第２の端末装置２０から受信すると、表示情報にしたがって情報を表示部１５に表示する。
【００１９】
上述の情報処理方法によれば、受信したデータに関する情報を表示部に表示する際、データの種類に応じて、大きな表示範囲を必要とするデータの場合と大きな表示範囲を必要としないデータの場合とで表示方法を変更しているので、ユーザにデータの内容を効率的に通知することができる。
【００２０】
以下に、本実施形態の情報処理システムについて、第１の端末装置１０が腕時計とし、第２の端末装置２０が携帯電話機とした場合の実施形態を詳細に説明する。第１の端末装置１０は、腕時計に限定されず、ゲーム機、携帯用音楽再生機、携帯型テレビなどの表示部を備えた端末装置であればよい。また、第２の端末装置２０は、スマートフォンを含む携帯電話機の場合に限らず、例えば、ゲーム機、タブレットＰＣ（Personal Computer）、ノートＰＣなどの携帯端末であってもよい。
【００２１】
本実施形態の情報処理システムの構成を説明する。
【００２２】
図４は本実施形態の情報処理システムを説明するための一構成例を示すブロック図である。本実施形態の情報処理システムは、図１に示した第１の端末装置１０に相当する腕時計１２と、図１に示した第２の端末装置２０に相当する携帯電話機２２とを有する。
【００２３】
携帯電話機２２は、基地局（不図示）およびネットワーク４０を介して他の携帯電話機３２と通信可能に接続される。ネットワーク４０は、例えば、インターネットである。
【００２４】
図５は図４に示した携帯電話機の一構成例を示すブロック図である。図５に示すように、携帯電話機２２は、電源部２と、記憶部３と、通信部５と、電話部６と、撮像部８と、近距離通信部９と、表示部７と、各部を制御する制御部１と、ユーザが指示を入力するための操作部４とを有する。
【００２５】
図６は図４に示した腕時計の一構成例を示すブロック図である。図６に示すように、腕時計１２は、電源部１２と、記憶部１３と、時計部１４と、表示部１５と、近距離通信部１７と、各部を制御する制御部１１と、ユーザが指示を入力するための操作部１６とを有する。
【００２６】
次に、携帯電話機２２の構成を、図５を参照して詳しく説明する。本実施形態では、本発明の情報処理方法に関連する構成について詳しく説明し、電子メールの送受信機能および電話機能についての詳細な説明を省略する。
【００２７】
通信部５は、アンテナＡＴ１を介して基地局（不図示）と無線通信で接続し、ネットワーク４０を介してデータを携帯電話機３２と送受信する。通信部５は図２に示した第１の通信手段２５に相当する。本実施形態では、通信部５が行う通信処理の通信規格がＴＣＰ（Transmission Control Protocol）／ＩＰ（Internet Protocol）の場合で説明するが、他の通信規格であってもよい。通信部５はネットワーク４０を介して外部の装置からデータを受信すると、受信したデータを制御部１に渡す。また、通信部５は、制御部１から受け取るデータをネットワーク４０の基地局（不図示）に送信する。
【００２８】
近距離通信部９はアンテナＡＴ２を介して腕時計１２と無線通信で接続し、腕時計１２とデータを送受信する。近距離通信部９は図２に示した第２の通信手段２９に相当する。本実施形態では、近距離通信部９が行う通信処理の通信規格がＢＬＥの場合で説明するが、他の通信規格であってもよい。近距離通信部９は腕時計１２からデータを受信すると、受信したデータを制御部１に渡す。また、近距離通信部９は、腕時計１２に対応する機器識別情報とデータを制御部１から受け取ると、機器識別情報で特定される腕時計１２宛にデータを送信する。
【００２９】
電源部２は、制御部１、記憶部３、操作部４、通信部５、電話部６、表示部７、撮像部８および近距離通信部９の各部に電力を供給する。電話部６は、スピーカＳＰおよびマイクＭＣと接続されている。電話部６は、制御部１から発呼または着呼の情報を受け取ると、通信規格にしたがって、他の端末装置との間で通話処理を実行する。
【００３０】
撮像部８は、レンズ（不図示）および撮像素子（不図示）を有し、レンズを介して撮像素子に取り込まれた画像を電気信号に変換し、変換後のデータである画像データを制御部１に送信する。表示部７は、制御部１を介して記憶部３または撮像部８から受信する情報を表示する。
【００３１】
なお、図５は機能ブロック図であるため、操作部４および表示部７を別々に表示しているが、操作部４と表示部７のそれぞれの機能を備えた構成が携帯電話機２２に設けられていてもよい。操作部４および表示部７のそれぞれの機能を備えた構成として、例えば、タッチパネルがある。
【００３２】
記憶部３には、通信対象の装置の機器識別情報が予め格納されている。機器識別情報は装置毎に異なる識別子であり、本実施形態の場合、腕時計１２の機器識別情報が予め記憶部３に登録されている。
【００３３】
制御部１は、プログラムにしたがって処理を実行するＣＰＵ（Central Processing Unit）（不図示）と、プログラムを記憶するメモリ（不図示）とを有する。制御部１内のメモリには、プログラムの他に、表示方法に関する設定情報が格納されている。制御部１は図２に示した制御手段２１に相当する。
【００３４】
制御部１は、操作部４を介して発呼の指示が入力されると、発呼の情報を電話部６に通知し、通信部５に着呼があると、着呼の情報を電話部６に転送する。制御部１は、撮像部８から受信する画像データを表示部７に転送し、ユーザから操作部４を介して記録の指示が入力されると、画像データを表示部７に転送するとともに記憶部３に保存する。また、制御部１は、通信部５からデータを受け取ると、そのデータの種類を特定し、データの種類に基づいて、腕時計１２に表示させる情報および表示方法の情報を含む表示情報を決定する。具体的には、制御部１は、メモリ（不図示）内の設定情報を参照し、設定情報にしたがってデータの種類に対応する表示情報を決定する。そして、制御部１は、記憶部３から腕時計１２の機器識別情報を読み出し、読み出した機器識別情報および決定した表示情報を近距離通信部９に渡す。
【００３５】
なお、携帯電話機２２のＣＰＵ（不図示）が実行するプログラムが制御部１内のメモリ（不図示）に予め登録されている場合で説明したが、プログラムの容量が制御部１内のメモリの容量よりも大きい場合、プログラムが予め記憶部３に格納されていてもよい。この場合、ユーザが操作部４を介して指示を入力する度に、ＣＰＵは、指示された処理に対応するプログラムを記憶部３から制御部１内のメモリに書き込み、メモリ内のプログラムにしたがって処理を実行する。容量の大きいアプリケーションソフトウェアプログラムの場合についても、この方法と同様に行えばよい。
【００３６】
次に、腕時計１２の構成を、図６を参照して詳しく説明する。本実施形態では、本発明の情報処理方法に関連する構成について詳しく説明し、時刻を計測する機能および時刻を表示する機能についての詳細な説明を省略する。
【００３７】
近距離通信部１７はアンテナＡＴ３を介して携帯電話機２２と無線通信で接続し、携帯電話機２２とデータを送受信する。本実施形態では、近距離通信部１７が行う通信処理の通信規格は、携帯電話機２２の近距離通信部９に対応したＢＬＥとする。近距離通信部１７は携帯電話機２２からデータを受信すると、受信したデータを制御部１１に渡す。また、近距離通信部１７は、制御部１１から受け取るデータを携帯電話機２２に送信する。
【００３８】
記憶部１３には、自己の機器識別情報が予め登録されている。この機器識別情報は、ユーザが携帯電話機２２と腕時計１２とをＢＬＥで通信可能に設定する際に、携帯電話機２２に通知される。時計部１４は時刻を計測し、時刻の情報を表示部１５に通知する。
【００３９】
表示部１５は、時計部１４から受け取る時刻の情報を表示する。また、表示部１５は、制御部１１の指示にしたがって、携帯電話機２２から制御部１１を介して受信する情報を表示する。電源部１２は、制御部１１、記憶部１３、時計部１４、表示部１５、および近距離通信部１７に電力を供給する。
【００４０】
制御部１１は、プログラムにしたがって処理を実行するＣＰＵ（不図示）と、プログラムを記憶するメモリ（不図示）とを有する。制御部１１は、近距離通信部１７を介して携帯電話機２２から表示情報を受信すると、表示情報から表示部１５に表示させる情報とその表示方法の情報を読み出し、指定された情報を表示方法の情報にしたがって表示部１５に表示させる。
【００４１】
ここで、データの種類、腕時計１２の表示部１５に表示させる情報、およびその表示方法の具体例について説明する。はじめに、データの種類が異なる場合の一例を、受信するデータが電子メールの場合で説明する。
【００４２】
制御部１は、電子メールに添付されたコンテンツのデータがテキストデータのみの場合と、テキストデータ以外のコンテンツが含まれる場合とで、データの種類が異なるものと判断する。テキストデータ以外のコンテンツの一例として「画像」がある。なお、電子メールに添付されるコンテンツのデータに対する種類の判定方法を説明したが、制御部１は、受信するデータが電子メールに限らず、受信するデータのコンテンツがテキストデータの場合と画像データの場合とで、データの種類が異なるものと判断してもよい。以下では、携帯電話機２２が外部から受信するデータが電子メールの場合で説明する。
【００４３】
続いて、腕時計１２の表示部１５に表示させる情報について説明する。以下では、表示部１５に表示させる情報を指定情報と称する。
【００４４】
指定情報として、「電子メールに添付されたメッセージ」、「電子メールの受信をユーザに通知するためのメッセージ」、および「電子メールに添付された画像データの画像」などがある。
【００４５】
なお、指定情報を、表示部１５の画素数および記憶部１３のメモリ容量などを判断基準として予め設定し、その判断基準にしたがって制御部１が決めるようにしてもよい。腕時計１２の記憶部１３のメモリ容量および表示部１５の画素数は携帯電話機２２に比べて小さいことが考えられ、携帯電話機２２が受信したデータをそのまま腕時計１２に転送しても、データをそのまま表示部１５に表示させることができない場合があるためである。
【００４６】
例えば、電子メールに添付されたメッセージの容量が所定の容量以下の場合、制御部１は、「電子メールに添付されたメッセージ」を指定情報に決定し、電子メールに添付されたメッセージの容量が所定の容量よりも大きい場合、「電子メールの受信をユーザに通知するためのメッセージ」を指定情報に決定する。また、例えば、電子メールに添付された画像データが表示部１５の画素数よりも大きい場合、制御部１は、画像データを腕時計１２に送信する際、画像データの画素数が腕時計１２の表示部１５の画素数に合うように画像データを変換し、変換後の画像データを腕時計１２に送信してもよい。
【００４７】
続いて、指定情報の表示方法の具体例を説明する。
表示方法１：指定情報を表示部１５の表示範囲の全面を使って表示する。この場合、表示部１５は、通常の時刻表示の代わりに指定情報を表示する。
表示方法２：指定情報を表示部１５の表示範囲の一部を使って表示する。この場合、次の２通りの方法がある。
表示方法２−１：指定情報を通常の時刻表示に影響を与えない範囲で表示する。具体的には、表示部１５の表示範囲のうち、時刻が表示されていない部分を使って表示する方法が考えられる。
表示方法２−２：表示方法１に比べて、通常の時刻表示に与える影響を小さくして指定情報を表示する。具体的には、時刻の表示を通常の表示よりも縮小することで、表示部１５の表示範囲のうち、空いた範囲に指定情報を表示する方法が考えられる。
【００４８】
次に、制御部１内のメモリ（不図示）に予め保存されている設定情報の一例を説明する。設定情報は、データの種類に対応して、指定情報および表示方法の情報が組になって登録されている。上述の具体例を元に、設定情報を説明する。
【００４９】
上記の例では、データの種類は、電子メールに画像データが含まれる場合と画像データが含まれない場合の２種類である。指定情報は、電子メールが画像データを含む場合と含まない場合とで、それぞれ２種類ある。電子メールが画像データを含む場合、指定情報は、「電子メールの受信をユーザに通知するためのメッセージ」および「電子メールに添付された画像データの画像」の２種類となる。電子メールが画像データを含まない場合、「電子メールの受信をユーザに通知するためのメッセージ」および「電子メールに添付されたメッセージ」の２種類となる。表示方法については、表示方法１、表示方法２−１、および表示方法２−２の３種類である。
【００５０】
上述のことから、設定情報は、「データの種類」×「指定情報の種類」×「表示方法の種類」＝２×２×３＝１２となり、組み合わせが１２通り考えられる。本実施形態では、説明を簡単にするために、電子メールが画像データを含むものである場合、画像データの画像を表示方法１で表示する情報を含む表示情報と、電子メールが画像データを含まないものである場合、電子メールの受信をユーザに通知するためのメッセージを表示方法２−１で表示する情報を含む表示情報とが、設定情報に予め登録されているものとする。
【００５１】
この設定情報を、携帯電話機２２の製造メーカが予め制御部１内のメモリに予め登録しておく。この場合、携帯電話機２２のユーザが操作部４を操作して、制御部１内のメモリに登録されている設定情報を変更できるようにしてもよい。また、設定情報は携帯電話機２２の製品出荷前に制御部１内のメモリに登録されていなくてもよく、この場合、携帯電話機２２のユーザが操作部４を操作して、設定情報を登録および設定情報の変更を自由に行えるようにすればよい。
【００５２】
例えば、ユーザが時刻を常に確認したい場合には、携帯電話機２２から腕時計１２に転送される画像データの画像を、表示方法２−１または表示方法２−２で表示部１５に表示させるように設定すればよい。その反対に、ユーザが画像をよりはっきりと見たい場合には、携帯電話機２２から腕時計１２に転送される画像データの画像を、表示方法１で表示部１５に表示させるように設定すればよい。
【００５３】
図７は携帯電話機２２の一例を示す外観図であり、図８は腕時計１２の一例を示す外観図である。図７に示すように、携帯電話機２２がスマートフォンの場合であり、携帯電話機２２には、操作部４および表示部７のそれぞれの機能を備えたタッチパネル４７が設けられている。図８に示すように、腕時計１２には、時刻および指定情報を表示するための表示部１５が設けられている。
【００５４】
次に、本実施形態の携帯電話機２２の動作を説明する。図９は本実施形態の携帯電話機の動作手順を示すフローチャートである。図１０は腕時計の表示部に表示される画面の一例を示す図である。
【００５５】
図１０（ａ）は腕時計１２の表示部１５が通常の時刻を表示している状態を示す。図１０（ａ）には、時刻が午後（ＰＭ）であること、時刻として「時間」、「分」および「秒」の他に、日付と曜日も表示されている。この状態で、携帯電話機２２がネットワーク４０を介して携帯電話機３２から電子メールを受信すると、制御部１が電子メールからデータの種類を特定する（ステップ２０１）。制御部１は、電子メールに画像データが添付されているか否かを判定し（ステップ２０２）、電子メールに画像データが添付されている場合、設定情報にしたがって、画像データの画像を表示部１５の全面を使って表示させる表示方法に決定する（ステップ２０３）。続いて、制御部１は、画像データおよび表示方法１の情報を含む表示情報を、近距離通信部９を介して腕時計１２に送信する（ステップ２０４）。この表示情報を第１の表示情報と呼ぶ。
【００５６】
腕時計１２は、第１の表示情報を携帯電話機２２から受信すると、第１の表示情報にしたがって画像データの画像を表示部１５の全面に表示する。図１０（ｂ）は画像データの画像を表示部１５に表示した場合の一例である。
【００５７】
一方、ステップ２０２において、制御部１は、電子メールに画像データが添付されていない場合、設定情報にしたがって、電子メールを受信したことをユーザに通知するためのメッセージを、表示部１５の一部を使って表示させる表示方法に決定する（ステップ２０５）。続いて、制御部１は、電子メールに関連する情報および表示方法２−１の情報を含む表示情報を腕時計１２に送信する（ステップ２０４）。この表示情報を第２の表示情報と呼ぶ。
【００５８】
腕時計１２は、第２の表示情報を携帯電話機２２から受信すると、第２の表示情報にしたがって、電子メールに関する情報を表示部１５の一部に表示する。図１０（ｃ）は電子メールに関する情報を表示部１５に表示した場合の一例である。図１０（ｃ）では、電子メールの受信をユーザに通知するためのメッセージは、電子メールを受信したことを示すマークと電子メールの送信者の氏名「山田太郎」をユーザに通知することに相当している。
【００５９】
本実施形態では、受信したデータの種類を特定し、データの種類として、例えば、画像のように画面全部を使って表示させたほうがよい画像データの場合には、画像データの画像を腕時計の表示部の全面に表示させ、電子メールに添付されたメッセージなどのテキストデータの場合には、メッセージを腕時計の表示部の一部に表示させることができる。画像を腕時計の表示部の全面を使って表示すれば、ユーザはよりクリアな画像を見ることができ、電子メールのメッセージを腕時計の表示部の一部を使って表示すれば、ユーザは電子メールのメッセージだけでなく、現在の時刻も同時に確認できる。
【００６０】
上述したように、本実施形態では、データの種類に応じて、画像のように大きな表示範囲を必要とするデータの場合とテキストデータのように大きな表示範囲を必要としないデータの場合とで、表示方法を変更することで、データを効率的に表示させることができる。その結果、受信したデータの内容をユーザに効率よく通知することができる。
【００６１】
なお、腕時計１２の表示部１５が積層された２層の液晶パネルを有する構成であってもよい。この構成の場合の表示方法を簡単に説明する。図１１は、図１０に示した表示方法とは異なる表示方法を説明するための図である。ただし、図１１（ａ）では、「時間」と「分」のみを図に示し、日付、曜日および秒などの表示を省略している。
【００６２】
図１１（ａ）を参照して、腕時計１２の表示部１５の構成を説明する。
【００６３】
腕時計１２の表示部１５は、図１１に示す液晶パネル５１ａ、５１ｂを有する構成である。図１１に示すように、液晶パネル５１ｂの上に液晶パネル５１ａが所定の距離を空けて積層されている。液晶パネル５１ａは時刻を含む文字列のような簡素な表示を行うパネルであり、液晶パネル５１ｂは、画素数が液晶パネル５１ａよりも多く、高精細な画像を表示可能なパネルである。
【００６４】
次に、表示部１５が図１１（ａ）に示す構成を有する場合において、図９を参照して説明したステップ２０３および２０５のそれぞれの表示情報に対する、腕時計１２の表示方法を説明する。
【００６５】
腕時計１２の制御部１は、図９のステップ２０５の決定に基づく表示情報を携帯電話機２２から受信すると、図１１（ａ）に示す液晶パネル５１ａの表示範囲のうち、時刻等の表示範囲を除く空き領域に電子メールに関する情報を表示させる。一方、腕時計１２の制御部１は、図９のステップ２０３の決定に基づく表示情報を携帯電話機２２から受信すると、図１１（ｂ）に示すように、液晶パネル５１ａに時刻等の表示をさせないようにし、画像データの画像を液晶パネル５１ｂの表示範囲全体に表示させる。この場合、ユーザは、液晶パネル５１ａを透して液晶パネル５１ｂに表示された、高精細な画像を見ることができる。
【００６６】
本発明の第１の端末装置は、スマートフォンを含む携帯電話機とＢＬＥなどの近距離通信で連動する腕時計などの端末装置に限らず、携帯電話機、ＰＣ、テレビなどの装置とＢｌｕｅｔｏｏｔｈ（登録商標）またはＤＬＮＡ（Digital Living Network Alliance）などで連動する、時計のような画面の小さい電化製品であってもよい。
【符号の説明】
【００６７】
１    制御部
５    通信部
９    近距離通信部
１０    第１の端末装置
１１    制御部
１５    表示部
１７    近距離通信部
２０    第２の端末装置
【図１】
2013070131.tif 000003
【図２】
2013070131.tif 000004
【図３】
2013070131.tif 000005
【図４】
2013070131.tif 000006
【図５】
2013070131.tif 000007
【図６】
2013070131.tif 000008
【図７】
2013070131.tif 000009
【図８】
2013070131.tif 000010
【図９】
2013070131.tif 000011
【図１１】
2013070131.tif 000012
【図１０】
2013070131.tif 000013